(57)【特許請求の範囲】
【請求項１】
板状の固定子枠と、当該固定子枠の内周部に固定された円筒状の固定子鉄心とを備えて構成される回転電機の固定子において、
前記固定子枠をその軸方向に複数に分割して単位固定子枠とし、
前記各単位固定子枠の軸方向に直交する方向の断面の外周を、偶数角形に形成し、当該偶数角形の次数を、２を除く偶数次数とし、かつ各対角となる辺の長さを非対称となるようにしたことを特徴とする回転電機の固定子。
【請求項２】
前記請求項１に記載の回転電機の固定子において、
前記各単位固定子枠間を互いに軸方向に結合するリブを少なくとも１個設けたことを特徴とする回転電機の固定子。
【請求項３】
前記請求項２に記載の回転電機の固定子において、
前記各単位固定子枠間を互いに軸方向に結合するリブを、軸芯に対して軸方向に対してスキューさせて設けたことを特徴とする回転電機の固定子。
【請求項４】
前記請求項１に記載の回転電機の固定子において、
前記固定子鉄心の外周部と前記各単位固定子枠の内周部との間に円筒状の内部固定子枠を設け、かつ当該内部固定子枠にその軸方向とほぼ平行な溝を少なくとも１個設けたことを特徴とする回転電機の固定子。
【請求項５】
前記請求項４に記載の回転電機の固定子において、
前記内部固定子枠に設ける溝を、軸方向に対してスキューさせたことを特徴とする回転電機の固定子。
【請求項６】
前記請求項４または請求項５に記載の回転電機の固定子において、
前記内部固定子枠に設ける溝を、軸方向のほぼ中央にて結合させたことを特徴とする回転電機の固定子。
【請求項７】
前記請求項４乃至請求項６のいずれか１項に記載の回転電機の固定子において、
前記各単位固定子枠間を、前記内部固定子枠の外周側において軸方向とほぼ平行な少なくとも１個のリブにより互いに結合させたことを特徴とする回転電機の固定子。
【請求項８】
前記請求項７に記載の回転電機の固定子において、
前記内部固定子枠に設ける溝を軸方向に対してスキューさせ、かつ当該スキューの角度とほぼ同一方向に前記各単位固定子枠間を結合するリブをスキューさせたことを特徴とする回転電機の固定子。
【請求項９】
前記請求項１に記載の回転電機の固定子において、
前記単位固定子枠を、前記固定子鉄心の軸方向でかつほぼ中心部にも配置したことを特徴とする回転電機の固定子。
【請求項１０】
前記請求項９に記載の回転電機の固定子において、
前記各単位固定子枠の形状を、固定子枠全体として軸方向に沿って徐々に変化させるようにし、かつ当該変化状態としては、各々の角部を結んだ場合に当該結んだ線が軸方向に対してスキューするようにしたことを特徴とする回転電機の固定子。
【請求項１１】
前記請求項１乃至請求項１０のいずれか１項に記載の回転電機の固定子において、
前記各単位固定子枠に、固定子本体を据え付け場所に据え付けする据付用座を設けたことを特徴とする回転電機の固定子。
【請求項１２】
前記請求項１１に記載の回転電機の固定子において、
前記各単位固定子枠に設ける据付用座の位置としては、前記固定子鉄心の起磁力による楕円モード変形の中正軸半径を、前記固定子鉄心のスロット底半径と外径半径の平均半径となるようにした場合に、前記中正軸半径のほぼ４／３倍の位置となるようにしたことを特徴とする回転電機の固定子。
【請求項１３】
前記請求項１乃至請求項１２のいずれか１項に記載の回転電機の固定子において、
前記固定子鉄心のスロットを、軸方向に対してスキューさせたことを特徴とする回転電機の固定子。
【請求項１４】
前記請求項３、請求項５乃至請求項８、請求項１０、請求項１３のいずれか１項に記載の回転電機の固定子において、
前記各単位固定子枠間を互いに軸方向に結合するリブ、または前記内部固定子枠に設ける溝のスキュー方向と、前記固定子鉄心のスロットのスキュー方向とが同一方向となるようにしたことを特徴とする回転電機の固定子。
【請求項１５】
固定子と回転子とを備えて構成される回転電機において、前記固定子として、前記請求項１乃至請求項１４のいずれか１項に記載の固定子を備えて成ることを特徴とする回転電機。
【発明の詳細な説明】
【０００１】
【発明の属する技術分野】
本発明は、例えば電動機、発電機、同期機等の回転電機において、特に振動および騒音の低減を十分効果的に図れるようにした回転電機の固定子およびそれを用いた回転電機に関するものである。
【０００２】
【従来の技術】
従来から、回転電機の一つとして、例えば誘導電動機が知られている。
【０００３】
図２０は、この種の従来の誘導電動機の構成例を示す縦断面図である。
【０００４】
図２０において、固定子１は、固定子枠２と、当該固定子枠２に嵌合固定された固定子鉄心３とから構成されている。
【０００５】
また、回転子４は、軸受５を介して支承された回転軸６に、回転子鉄心７を取り付けて構成されている。
【０００６】
ところで、最近では、このような誘導電動機を、インバータにより速度制御することが多くなってきている。
【０００７】
しかしながら、インバータによる速度制御運転においては、速度が変化することから、電磁力の周波数と誘導電動機の構造系である固定子鉄心３の固有振動数とが一致して共振現象となり、大きな振動と騒音が発生する可能性が非常に高くなるという問題点がある。そして、速度が変化することから、共振点を避けることができない。
【０００８】
そこで、このような共振現象による騒音を低減するための手段の一つとして、例えば固定子枠２の内周部に周方向に沿って、固定子鉄心３を支持する支持用のリブを複数設ける構成とすることにより、振動と騒音を低減できるようにした誘導電動機が提案されてきている。
【０００９】
【発明が解決しようとする課題】
しかしながら、上記のような手段を講じた誘導電動機においては、固定子枠２にリブを設けていることから、固定子鉄心３の外周部を加工しないと、固定子鉄心３の内周と外周の同心精度が悪く、特性悪化や軸電圧発生の要因になり、短寿命となる。
【００１０】
一方、固定子鉄心３の内周と外周の同心精度を向上させる場合に、固定子鉄心３の外周部を機械加工することにより、精度を向上することができるが、この場合、固定子鉄心３を固着する部分は外周部であることから、当該外周部に機械加工量よりも深い凹部を設けて、当該凹部で固着したり、または固定子鉄心３にキリ穴を設けて、ボルトで固定したりする必要がある。
【００１１】
しかしながら、凹部やキリ穴を設けると、固定子鉄心３の剛性が低下して、結果的に振動や騒音が悪化することになる。
【００１２】
また、固定子鉄心３は、電磁鋼板積層品であることから、面加工精度が悪く、加工のかえり等で特性が悪化することもある。
【００１３】
さらに、固定子鉄心３の外周部の加工後に、巻線納めおよびワニス処理を行なうと、機械加工面にワニスが付着してしまい、除去作業や人体・環境にとって好ましいものではない。
以上のような種々の問題点があることから、従来の誘導電動機においては、固定子１から外部への振動伝達の低減を十分には図れないため、騒音の低減を十分に図ることができない。
【００１４】
本発明の目的は、前述のような種々の問題点が生じることなく、振動および騒音の低減を十分効果的に図ることが可能な回転電機の固定子およびそれを用いた回転電機を提供することにある。
【００１５】
【課題を解決するための手段】
上記の目的を達成するために、請求項１に対応する発明では、板状の固定子枠と、当該固定子枠の内周部に固定された円筒状の固定子鉄心とを備えて構成される回転電機の固定子において、固定子枠をその軸方向に複数に分割して単位固定子枠とし、各単位固定子枠の軸方向に直交する方向の断面の外周を、偶数角形に形成し、当該偶数角形の次数を、２を除く偶数次数とし、かつ各対角となる辺の長さを非対称となるようにしている。
【００１６】
従って、請求項１に対応する発明の回転電機の固定子においては、固定子枠をその軸方向に複数に分割して単位固定子枠とし、各単位固定子枠の軸方向に直交する方向の断面の外周を、偶数角形に形成し、当該偶数角形の次数を、２を除く偶数次数とし、かつ各対角となる辺の長さを非対称となるようにしていることにより、円環振動モードＭ＝２、４、６、８……、偶数角形の四角形、六角形、八角形……の構造物の場合であっても、固有モードの角度を電磁モードを打ち消すようにして、固定子で発生する振動および騒音を極めて効果的に低減することができる。
また、固定子枠にリブを設ける場合と異なって、前述したような種々の問題点が生じることもなくなる。
さらに、固定子鉄心の端部に単位固定子枠を各々逆向きに取り付けることにより、単位固定子枠の周方向に剛性を変化させて、より一層電磁力が分散することとなるため、固定子で発生する振動および騒音をより一層効果的に低減することができる。
さらにまた、各単位固定子枠の軸方向に直交する方向の断面の外周を、偶数角形に形成し、当該偶数角形の次数を、２を除く偶数次数とし、かつ各対角となる辺の長さを非対称となるようにすることにより、電磁力の楕円モードに対して、構造系で振動を打ち消し、固定子鉄心の変形が発生し難くなり、固定子鉄心外周に生じる振動が打ち消し合い、これにより回転電機に搭載した場合に、回転電機全体の振動および騒音を低減することができる。
【００１７】
また、請求項２に対応する発明では、上記請求項１に対応する発明の回転電機の固定子において、各単位固定子枠間を互いに軸方向に結合するリブを少なくとも１個設けている。
【００１８】
従って、請求項２に対応する発明の回転電機の固定子においては、各単位固定子枠間を互いに軸方向に結合するリブを少なくとも１個設けていることにより、両端の単位固定子枠への伝達をよくして、より一層電磁力が分散することとなるため、固定子で発生する振動および騒音をより一層効果的に低減することができる。
また、固定子全体の剛性を高めることができ、固有振動数を高く設計できるため、据付系との共振点から離調することができ、その結果、固定子で発生する振動および騒音をより一層効果的に低減することができる。
【００１９】
さらに、請求項３に対応する発明では、上記請求項２に対応する発明の回転電機の固定子において、各単位固定子枠間を互いに軸方向に結合するリブを、軸芯に対して軸方向に対してスキューさせて設けている。
【００２０】
従って、請求項３に対応する発明の回転電機の固定子においては、各単位固定子枠間を互いに軸方向に結合するリブを、軸芯に対して軸方向に対してスキューさせて設けることにより、スキュー効果を増加させて、より一層電磁力が分散することとなるため、固定子で発生する振動および騒音をより一層効果的に低減することができる。
【００２１】
一方、請求項４に対応する発明では、上記請求項１に対応する発明の回転電機の固定子において、固定子鉄心の外周部と各単位固定子枠の内周部との間に円筒状の内部固定子枠を設け、かつ当該内部固定子枠にその軸方向とほぼ平行な溝を少なくとも１個設けている。
【００２２】
従って、請求項４に対応する発明の回転電機の固定子においては、固定子鉄心の外周部と各単位固定子枠の内周部との間に円筒状の内部固定子枠を設け、かつ当該内部固定子枠にその軸方向とほぼ平行な溝を少なくとも１個設けることにより、リブを設けなくても、前述した請求項２に対応する発明と同様の作用を奏することができる。
また、両端の単位固定子枠の結合が強化されて、剛性の向上および固有振動数の増加を図ることができるため、固定子で発生する振動および騒音をより一層効果的に低減することができる。
さらに、単位固定子枠の剛性が高いため、製造時の歪等も発生し難く、高精度の単位固定子枠を容易に得ることができる。これにより、製造面の効果のみならず、特性の向上も図ることができる。
【００２３】
また、請求項５に対応する発明では、上記請求項４に対応する発明の回転電機の固定子において、内部固定子枠に設ける溝を、軸方向に対してスキューさせている。
【００２４】
従って、請求項５に対応する発明の回転電機の固定子においては、内部固定子枠に設ける溝を、軸方向に対してスキューさせることにより、前述した請求項４に対応する発明と同様の作用を奏することができ、固定子で発生する振動および騒音をより一層効果的に低減することができる。
【００２５】
さらに、請求項６に対応する発明では、上記請求項４または請求項５に対応する発明の回転電機の固定子において、内部固定子枠に設ける溝を、軸方向のほぼ中央にて結合させている。
【００２６】
従って、請求項６に対応する発明の回転電機の固定子においては、内部固定子枠に設ける溝を、軸方向のほぼ中央にて結合させていることにより、内部固定子枠の中央が分離されていないため、剛性が高く固有振動数を高くすることができる。
また、単位固定子枠の剛性が高いため、製造時の歪等も発生し難く、高精度の単位固定子枠を容易に得ることができる。これにより、製造面の効果のみならず、特性の向上も図ることができる。
【００２７】
さらにまた、請求項７に対応する発明では、上記請求項４乃至請求項６のいずれか１項に対応する発明の回転電機の固定子において、各単位固定子枠間を、内部固定子枠の外周側において軸方向とほぼ平行な少なくとも１個のリブにより互いに結合させている。
【００２８】
従って、請求項７に対応する発明の回転電機の固定子においては、各単位固定子枠間を、内部固定子枠の外周側において軸方向とほぼ平行な少なくとも１個のリブにより互いに結合させることにより、前述した請求項１乃至請求項６に対応する発明の作用を組み合わせた作用を奏することができ、固定子で発生する振動および騒音をより一層効果的に低減することができる。
【００２９】
一方、請求項８に対応する発明では、上記請求項７に対応する発明の回転電機の固定子において、内部固定子枠に設ける溝を軸方向に対してスキューさせ、かつ当該スキューの角度とほぼ同一方向に各単位固定子枠間を結合するリブをスキューさせている。
【００３０】
従って、請求項８に対応する発明の回転電機の固定子においては、内部固定子枠に設ける溝を軸方向に対してスキューさせ、かつ当該スキューの角度とほぼ同一方向に各単位固定子枠間を結合するリブをスキューさせることにより、前述した請求項１乃至請求項６に対応する発明の作用を組み合わせた作用を奏することができ、固定子で発生する振動および騒音をより一層効果的に低減することができる。
【００３１】
また、請求項９に対応する発明では、上記請求項１に対応する発明の回転電機の固定子において、単位固定子枠を、固定子鉄心の軸方向でかつほぼ中心部にも配置している。
【００３２】
従って、請求項９に対応する発明の回転電機の固定子においては、単位固定子枠を、固定子鉄心の軸方向でかつほぼ中心部にも配置することにより、固定子で発生する振動および騒音をより一層効果的に低減することができる。
また、据付部の増加により、より安定性を増すことができる。
【００３３】
さらに、請求項１０に対応する発明では、上記請求項９に対応する発明の回転電機の固定子において、各単位固定子枠の形状を、固定子枠全体として軸方向に沿って徐々に変化させるようにし、かつ当該変化状態としては、各々の角部を結んだ場合に当該結んだ線が軸方向に対してスキューするようにしている。
【００３４】
従って、請求項１０に対応する発明の回転電機の固定子においては、各単位固定子枠の形状を、固定子枠全体として軸方向に沿って徐々に変化させるようにし、かつ当該変化状態としては、各々の角部を結んだ場合に当該結んだ線が軸方向に対してスキューすることにより、前述した請求項９に対応する発明と同様の作用を奏するのに加えて、スキュー効果をより一層高くできるため、固定子で発生する振動および騒音をより一層効果的に低減することができる。
【００３５】
一方、請求項１１に対応する発明では、上記請求項１乃至請求項１０のいずれか１項に対応する発明の回転電機の固定子において、各単位固定子枠に、固定子本体を据え付け場所に据え付けする据付用座を設けている。
【００３６】
従って、請求項１１に対応する発明の回転電機の固定子においては、各単位固定子枠に、固定子本体を据え付け場所に据え付けする据付用座を設けることにより、据付系の固有振動数を離調させることができ、その結果、固定子で発生する振動および騒音をより一層効果的に低減することができる。
【００３７】
また、請求項１２に対応する発明では、上記請求項１１に対応する発明の回転電機の固定子において、各単位固定子枠に設ける据付用座の位置としては、固定子鉄心の起磁力による楕円モード変形の中正軸半径を、固定子鉄心のスロット底半径と外径半径の平均半径となるようにした場合に、中正軸半径のほぼ４／３倍の位置となるようにしている。
【００３８】
従って、請求項１２に対応する発明の回転電機の固定子においては、固定子鉄心の起磁力による楕円モード変形の中正軸半径を、固定子鉄心のスロット底半径と外径半径の平均半径となるようにした場合に、各単位固定子枠に設ける据付用座の位置が、中正軸半径のほぼ４／３倍の位置となるようにすることにより、固定子鉄心の楕円モード変形時の接線方向の変位成分が生じないため、据付系への電磁力の伝達を低減することができる。
【００３９】
さらに、請求項１３に対応する発明では、上記請求項１乃至請求項１２のいずれか１項に対応する発明の回転電機の固定子において、固定子鉄心のスロットを、軸方向に対してスキューさせている。
【００４０】
従って、請求項１３に対応する発明の回転電機の固定子においては、固定子鉄心のスロットを、軸方向に対してスキューさせることにより、スキュー効果を増加させて、より一層電磁力が分散することとなるため、固定子で発生する振動および騒音をより一層効果的に低減することができる。
【００４１】
さらにまた、請求項１４に対応する発明では、上記請求項３、請求項５乃至請求項８、請求項１０、請求項１３のいずれか１項に対応する発明の回転電機の固定子において、各単位固定子枠間を互いに軸方向に結合するリブ、または内部固定子枠に設ける溝のスキュー方向と、固定子鉄心のスロットのスキュー方向とが同一方向となるようにしている。
【００４２】
従って、請求項１４に対応する発明の回転電機の固定子においては、各単位固定子枠間を互いに軸方向に結合するリブ、または内部固定子枠に設ける溝のスキュー方向と、固定子鉄心のスロットのスキュー方向とが同一方向となるようにすることにより、スキュー効果を増加させて、より一層電磁力が分散することとなるため、固定子で発生する振動および騒音をより一層効果的に低減することができる。
【００４３】
一方、請求項１５に対応する発明では、固定子と回転子とを備えて構成される回転電機において、固定子として、上記請求項１乃至請求項１４のいずれか１項に対応する発明の固定子を備えている。
【００４４】
従って、請求項１５に対応する発明の回転電機においては、固定子として、上記請求項１乃至請求項１４のいずれか１項に対応する発明の固定子を備えることにより、回転電機全体で発生する振動および騒音を極めて効果的に低減することができる。
【００４５】
【発明の実施の形態】
初めに、本発明の一つの考え方の前提となる騒音の発生メカニズムについて説明する。
【００４６】
図１５は、振動と騒音発生のメカニズムを説明するための図である。
【００４７】
この振動と騒音の発生メカニズムは、図１５に示すように、回転子鉄心と固定子鉄心とのエアギャップに働く電磁力の周波数と、固定子鉄心の固有振動数とが共振した場合、固定子枠（フレーム）が著しく振動し、その振動が空気中に放射されて騒音として発生するものである。
【００４８】
この電磁力による固定子枠の変形モードは、一般的に、円環振動モードの楕円形状（ｎ＝２）である。固定子鉄心の起磁力分布によって、図中太線で示したような振動モードが生ずる。この固定子鉄心の振動モードは、回転電機の運転中に回転しており、固定子枠に伝達されると、固定子枠が引張り・圧縮を繰り返す。このことにより、固定子枠に歪が生じたり、回転電機全体の振動発生の要因となる。
【００４９】
この円環振動モードとは、図１６に示すような半径方向に外形が変形するモードであり、膨張収縮（モードｎ＝０）、並進（モードｎ＝１）、楕円（モードｎ＝２）、三角形（モードｎ＝３）、四角形（モードｎ＝４）、五角形（モードｎ＝５）等で表わされる。
【００５０】
従来において、電動機における固定子鉄心、およびこれを収容する固定子枠の横断面（回転軸に直交する方向の断面）の外周は、固定子枠は、例えば円筒状あるいは四角形等のように、左右対称状である場合が多い。
【００５１】
このため、固定子鉄心に発生する楕円（モードｎ＝２）の変形振動が、固定子枠にも伝達され易く、電磁力が固定子鉄心と共振した場合には、大きな振動および騒音が発生することがある。
【００５２】
そこで、このような電動機での振動および騒音を低減するためには、固定子鉄心に発生する円環振動の楕円（モードｎ＝２）の変形が、固定子枠に伝達され難くする必要がある。
【００５３】
例えば、固定子枠が、楕円に変形し難い構造とすることにより、外形振動が生じ難くなり、振動や騒音を低減できるようにすることである。
【００５４】
次に、騒音発生の原理について、具体的に説明する。
【００５５】
電磁力は、回転磁界であることから、固定子鉄心のある位置から見ると、図１７に示すように、固定子鉄心の内径に強制振動として、ｎ＝２（楕円）、ｎ＝４（四角形）……で時間的に回転して変化していくモードが発生する。
【００５６】
上記の電磁力のモードを式で表わしたものを、式（１）に示す。
【００５７】
【数１】
0004028183.tif 000002
【００５８】
ここで、ｆM：電磁力、Ａ：電磁力の振幅、ω：電磁力の角振動数、Ｍ：電磁力のモード次数、θ：機械角、ｔ：時間。
【００５９】
一方、固定子鉄心の固有振動モードφNは、円環の面内振動のみを考えると、式（２）に示すようになる。
【００６０】
【数２】
0004028183.tif 000003
【００６１】
ここで、φN：円環の固有振動モード、ΦN ：固有振動モードの振幅、Ｎ：固有振動モード次数、α：位相。
【００６２】
そこで、上記式（１）と式（２）とから、電動機に働く電磁力による円環の振動振幅をｚとすると、式（３）で表わすことができる。
【００６３】
【数３】
0004028183.tif 000004
【００６４】
これは、ある角度θにおける振動であるから、円環全体の振動振幅Ｚは、θについて円環を全円周で積分することによって、式（４）により求めることができる。
【００６５】
この式（４）から、振動は、電磁力モードと固有モードとの積によって求めることができる。
【００６６】
【数４】
0004028183.tif 000005
【００６７】
次に、具体的な数値を代入して計算する。
【００６８】
電磁力モードＭ＝２と固有振動モードＮ＝２の発生する振動Ｚは、図１８（ａ）に示すように、ベクトル積から求めることができる。
【００６９】
ここで、半径方向の外向きのベクトルがプラス、内向きのベクトルがマイナスとする。
【００７０】
計算する点数は、概略計算として、代表点として円周上に８点とする。
【００７１】
図１８（ａ）において、電磁力モードＭ＝２、固有ベクトルＮ＝２の場合、以下のベクトル積の行列式で示すように計算することができる。
【００７２】
行列式の数値は、図１８（ａ）に示す各８点のモード形のベクトル量として示している。
【００７３】
【数５】
0004028183.tif 000006
【００７４】
電磁力モードＭ＝２と固有振動モードＮ＝２との組み合わせは、ベクトル積の値がＺ＝４となる大きさの振動が発生する。
【００７５】
次に、電磁力モードＭ＝２と固有振動モードＮ＝３との組み合わせで発生する振動Ｚは、図１８（ｂ）に示すように、ベクトル積の計算で求めることができる。
【００７６】
【数６】
0004028183.tif 000007
【００７７】
電磁力モードＭ＝２と固有モードＮ＝３との組み合わせでは、Ｚ＝０となり、振動が発生しないことになる。
【００７８】
すなわち、以上のような関係は、固有振動モードと電磁力モードを一致させないことが、振動および騒音を発生させない条件であることを示している。
【００７９】
さらに、一般に、固定子鉄心の変形時の変形量は、１／（モード数）３に比例して小さくなることから、モード数が多いほど振動が低減する。
【００８０】
これは、固定子鉄心に誘起する電磁加振力に対して固定子鉄心が共振しても、確実に振動が低減できることを意味する。
【００８１】
すなわち、例えば図１９にその代表的な斜視図を示すように、上記固定子鉄心に誘起する電磁力による強制モードＭが、円環振動モードＭ＝２であることから、固定子枠の断面の外周形状を、円環振動モードｎ＝３、５、７……、あるいは、三角形、五角形、七角形……にすることにより、振動が打ち消し合い、モードが一致しないようにできる、つまり振動と騒音を低減することができる。
【００８２】
これにより、固定子鉄心に誘起する電磁加振力に対して、固定子鉄心が共振しても、確実に振動を低減することができる。
【００８３】
固定子鉄心に誘起する電磁加振力の加振力モードＭは、偶数の円環振動モードＭ=２、４、６、８……であることから、固定子鉄心および固定子枠の外形形状を、円環振動モードｎ＝３、５、７……の奇数次数形もしくは奇数角形とすることにより、モードが一致しないようにできる、つまり振動と騒音を低減することができる。
【００８４】
しかしながら、固定子鉄心および固定子枠の外形形状を奇数角形とした場合には、上下左右のいずれかに頂点が配置されることになるため、固定子の外形が大きくなることが考えられ、最良の方法であるとは言い難い。
【００８５】
以上のような点から、本発明では、その基本的な考え方として、板状の固定子枠と、当該固定子枠の内周部に固定された円筒状の固定子鉄心とを備えて構成される回転電機の固定子において、板状の固定子枠をその軸方向に複数に分割して単位固定子枠とし、各単位固定子枠の軸方向に直交する方向の断面の外周を、偶数角形に形成し、当該偶数角形の次数を、２を除く偶数次数とし、かつ各対角となる辺の長さを非対称となるようにするものである。
【００８６】
以下、上記のような考え方に基づく本発明の実施の形態について、図面を参照して詳細に説明する。
【００８７】
（第１の実施の形態）
図１は、本実施の形態による回転電機の固定子の構成例を示す両側面（固定子鉄心の軸方向に直交する方向面）図および正面図である。
【００８８】
なお、回転電機の全体構成は、図２０の従来と同様の構成であるので、同一要素には同一符号を付してその説明を省略し、ここでは異なる部分についてのみ述べる。
【００８９】
すなわち、図１に示すように、本実施の形態による回転電機の固定子１は、板状の固定子枠２と、当該固定子枠２の内周部に固定された円筒状の固定子鉄心３とを備えて構成されるものにおいて、固定子枠２をその軸方向に複数（本例では２つ）に分割して単位固定子枠８とし、さらに各単位固定子枠８の軸方向に直交する方向の断面の外周を、偶数角形に形成し、当該偶数角形の次数を、２を除く偶数次数とし、かつ各対角となる辺の長さを非対称となるようにした構成としている。
【００９０】
ここで、各単位固定子枠８は、固定子鉄心３の端部に各々逆向きに取り付けている。
【００９１】
次に、以上のように構成した本実施の形態による回転電機の固定子１においては、固定子枠２をその軸方向に複数に分割して単位固定子枠８とし、各単位固定子枠８の軸方向に直交する方向の断面の外周を、偶数角形に形成し、当該偶数角形の次数を、２を除く偶数次数とし、かつ各対角となる辺の長さをＬ１，Ｌ２のように非対称となるようにすることにより、円環振動モードＭ＝２、４、６、８……、偶数角形の四角形、六角形、八角形……の構造物の場合であっても、固有モードの角度を電磁モードを打ち消すことができる。
【００９２】
これにより、単位固定子枠８へ伝達される振動が低減され、固定子１で発生する振動および騒音を極めて効果的に低減することができる。
【００９３】
また、前述した従来のような固定子枠２にリブを設ける場合と異なって、前述したような種々の問題点が生じることもなくなる。
【００９４】
すなわち、
（ａ）固定子鉄心３の内周と外周の同心精度が悪く、特性悪化や軸電圧発生の要因になり、短寿命となるという問題点
（ｂ）固定子鉄心３にキリ穴を設けてボルトで固定したりすることにより、固定子鉄心３の剛性が低下して、振動や騒音が悪化するという問題点
（ｃ）固定子鉄心３はの面加工精度が悪く、加工のかえり等で特性が悪化するという問題点
（ｄ）固定子鉄心３加工後の巻線納め、ワニス処理が、除去作業や人体・環境にとって好ましくないという問題点
を解消することができる。
さらに、固定子鉄心３の端部に単位固定子枠８を各々逆向きに取り付けていることにより、単位固定子枠８の周方向に剛性を変化させて、より一層電磁力が分散することとなるため、固定子１で発生する振動および騒音をより一層効果的に低減することができる。
【００９５】
さらにまた、各単位固定子枠８の軸方向に直交する方向の断面の外周を、偶数角形に形成し、当該偶数角形の次数を、２を除く偶数次数とし、かつ各対角となる辺の長さを非対称となるようにしていることにより、電磁力の楕円モードに対して、構造系で振動を打ち消し、固定子鉄心３の変形が発生し難くなり、固定子鉄心３外周に生じる振動が打ち消し合い、これにより回転電機に搭載した場合に、回転電機全体の振動および騒音を低減することができる。
【００９６】
上述したように、本実施の形態による回転電機の固定子１では、円環振動モードＭ＝２、４、６、８……、偶数角形の四角形、六角形、八角形……の構造物の場合であっても、固定子鉄心３の剛性が向上して、電磁力に打ち勝つ構造系の剛性を確保し、前述のような種々の問題点が生じることなく、しかも固定子の外形が大きくなることなく、実際に発生する円環振動モードｎ＝２の変形が発生し難くなり、固定子１で発生する振動および騒音を極めて効果的に低減することが可能となる。
【００９７】
（第２の実施の形態）
図２は、本実施の形態による回転電機の固定子の構成例を示す両側面（固定子鉄心の軸方向に直交する方向面）図および正面図であり、図１と同一要素には同一符号を付してその説明を省略し、ここでは異なる部分についてのみ述べる。
【００９８】
すなわち、図２に示すように、本実施の形態による回転電機の固定子１は、前記図１に示す第１の実施の形態による回転電機の固定子１において、各単位固定子枠８間を互いに軸方向に結合するリブ９を少なくとも１個設けた構成としている。
【００９９】
次に、以上のように構成した本実施の形態による回転電機の固定子１においては、各単位固定子枠８間を互いに軸方向に結合するリブ９を少なくとも１個設けていることにより、両端の単位固定子枠８への伝達をよくして、より一層電磁力が分散することとなるため、固定子１で発生する振動および騒音をより一層効果的に低減することができる。
【０１００】
また、固定子全体の剛性を高めることができ、固有振動数を高く設計できるため、据付系との共振点から離調することができ、その結果、固定子１で発生する振動および騒音をより一層効果的に低減することができる。
【０１０１】
上述したように、本実施の形態による回転電機の固定子１では、固定子１で発生する振動および騒音をより一層極めて効果的に低減することが可能となる。
【０１０２】
（第３の実施の形態）
図３は、本実施の形態による回転電機の固定子の構成例を示す両側面（固定子鉄心の軸方向に直交する方向面）図および正面図であり、図２と同一要素には同一符号を付してその説明を省略し、ここでは異なる部分についてのみ述べる。
【０１０３】
すなわち、図３に示すように、本実施の形態による回転電機の固定子１は、前記図２に示す第２の実施の形態による回転電機の固定子１において、各単位固定子枠８間を互いに軸方向に結合するリブ１０を、軸芯に対して軸方向に対してスキューさせて設けた構成としている。
【０１０４】
次に、以上のように構成した本実施の形態による回転電機の固定子１においては、各単位固定子枠８間を互いに軸方向に結合するリブ１０を、軸芯に対して軸方向に対してスキューさせて設けていることにより、スキュー効果を増加させて、より一層電磁力が分散することとなるため、固定子１で発生する振動および騒音をより一層効果的に低減することができる。
【０１０５】
上述したように、本実施の形態による回転電機の固定子１では、固定子１で発生する振動および騒音をより一層極めて効果的に低減することが可能となる。
【０１０６】
（第４の実施の形態）
図４は、本実施の形態による回転電機の固定子の構成例を示す両側面（固定子鉄心の軸方向に直交する方向面）図および正面図であり、図１と同一要素には同一符号を付してその説明を省略し、ここでは異なる部分についてのみ述べる。
【０１０７】
すなわち、図４に示すように、本実施の形態による回転電機の固定子１は、前記図１に示す第１の実施の形態による回転電機の固定子１において、固定子鉄心３の外周部と各単位固定子枠８の内周部との間に円筒状の内部固定子枠１１を設け、かつ当該内部固定子枠１１にその軸方向とほぼ平行な溝１２を少なくとも１個設け設けた構成としている。
【０１０８】
次に、以上のように構成した本実施の形態による回転電機の固定子１においては、固定子鉄心３の外周部と各単位固定子枠８の内周部との間に円筒状の内部固定子枠１１を設け、かつ当該内部固定子枠１１にその軸方向とほぼ平行な溝１２を少なくとも１個設けていることにより、リブを設けなくても、前述した第２の実施の形態と同様の作用を奏することができる。
【０１０９】
また、両端の単位固定子枠８の結合が強化されて、剛性の向上および固有振動数の増加を図ることができるため、固定子１で発生する振動および騒音をより一層効果的に低減することができる。
【０１１０】
さらに、単位固定子枠８の剛性が高いため、製造時の歪等も発生し難く、高精度の単位固定子枠８を容易に得ることができる。これにより、製造面の効果のみならず、特性の向上も図ることができる。
【０１１１】
上述したように、本実施の形態による回転電機の固定子１では、固定子１で発生する振動および騒音をより一層極めて効果的に低減することが可能となるばかりでなく、高精度の単位固定子枠８を容易に得ることが可能となる。
【０１１２】
（第５の実施の形態）
図５は、本実施の形態による回転電機の固定子の構成例を示す両側面（固定子鉄心の軸方向に直交する方向面）図および正面図であり、図４と同一要素には同一符号を付してその説明を省略し、ここでは異なる部分についてのみ述べる。
【０１１３】
すなわち、図５に示すように、本実施の形態による回転電機の固定子１は、前記図１に示す第４の実施の形態による回転電機の固定子１において、内部固定子枠１１に設ける溝１３を、軸方向に対してスキューさせた構成としている。
【０１１４】
次に、以上のように構成した本実施の形態による回転電機の固定子１においては、内部固定子枠１１に設ける溝１３を、軸方向に対してスキューさせていることにより、前述した第４の実施の形態と同様の作用を奏することができ、固定子１で発生する振動および騒音をより一層効果的に低減することができる。
【０１１５】
上述したように、本実施の形態による回転電機の固定子１では、固定子１で発生する振動および騒音をより一層極めて効果的に低減することが可能となる。
【０１１６】
（第６の実施の形態）
図６は、本実施の形態による回転電機の固定子の構成例を示す両側面（固定子鉄心の軸方向に直交する方向面）図および正面図であり、図４または図５と同一要素には同一符号を付してその説明を省略し、ここでは異なる部分についてのみ述べる。
【０１１７】
すなわち、図６に示すように、本実施の形態による回転電機の固定子１は、前記図４または図５に示す第４または第５の実施の形態による回転電機の固定子１において、内部固定子枠１１に設ける溝１４を、軸方向のほぼ中央にて結合させた構成としている。
【０１１８】
次に、以上のように構成した本実施の形態による回転電機の固定子１においては、内部固定子枠１１に設ける溝１４を、軸方向のほぼ中央にて結合させていることにより、内部固定子枠１１の中央が分離されていないため、剛性が高く固有振動数を高くすることができる。
【０１１９】
また、単位固定子枠８の剛性が高いため、製造時の歪等も発生し難く、高精度の単位固定子枠８を容易に得ることができる。これにより、製造面の効果のみならず、特性の向上も図ることができる。
【０１２０】
上述したように、本実施の形態による回転電機の固定子１では、固定子１で発生する振動および騒音をより一層極めて効果的に低減することが可能となるばかりでなく、高精度の単位固定子枠８を容易に得ることが可能となる。
【０１２１】
（第７の実施の形態）
図７は、本実施の形態による回転電機の固定子の構成例を示す両側面（固定子鉄心の軸方向に直交する方向面）図および正面図であり、図４または図５または図６と同一要素には同一符号を付してその説明を省略し、ここでは異なる部分についてのみ述べる。
【０１２２】
すなわち、図７に示すように、本実施の形態による回転電機の固定子１は、前記図４または図５または図６に示す第４または第５または第６の実施の形態による回転電機の固定子１において、各単位固定子枠８間を、内部固定子枠１１の外周側において軸方向とほぼ平行な少なくとも１個のリブ９により互いに結合させさせた構成としている。
【０１２３】
次に、以上のように構成した本実施の形態による回転電機の固定子１においては、各単位固定子枠８間を、内部固定子枠１１の外周側において軸方向とほぼ平行な少なくとも１個のリブ９により互いに結合させていることにより、前述した第１乃至第６の実施の形態の作用を組み合わせた作用を奏することができ、固定子１で発生する振動および騒音をより一層効果的に低減することができる。
【０１２４】
上述したように、本実施の形態による回転電機の固定子１では、固定子１で発生する振動および騒音をより一層極めて効果的に低減することが可能となる。
【０１２５】
（第８の実施の形態）
図８は、本実施の形態による回転電機の固定子の構成例を示す両側面（固定子鉄心の軸方向に直交する方向面）図および正面図であり、図７と同一要素には同一符号を付してその説明を省略し、ここでは異なる部分についてのみ述べる。
【０１２６】
すなわち、図８に示すように、本実施の形態による回転電機の固定子１は、前記図７に示す第７の実施の形態による回転電機の固定子１において、内部固定子枠１１に設ける溝１４を軸方向に対してスキューさせ、かつ当該スキューの角度とほぼ同一方向に各単位固定子枠８間を結合するリブ１０をスキューさせた構成としている。
【０１２７】
次に、以上のように構成した本実施の形態による回転電機の固定子１においては、内部固定子枠１１に設ける溝１４を軸方向に対してスキューさせ、かつ当該スキューの角度とほぼ同一方向に各単位固定子枠８間を結合するリブ１０をスキューさせていることにより、前述した第１乃至第６の実施の形態の作用を組み合わせた作用を奏することができ、固定子１で発生する振動および騒音をより一層効果的に低減することができる。
【０１２８】
上述したように、本実施の形態による回転電機の固定子１では、固定子１で発生する振動および騒音をより一層極めて効果的に低減することが可能となる。
【０１２９】
（第９の実施の形態）
図９は、本実施の形態による回転電機の固定子の構成例を示す斜視図であり、図１と同一要素には同一符号を付してその説明を省略し、ここでは異なる部分についてのみ述べる。
【０１３０】
すなわち、図９に示すように、本実施の形態による回転電機の固定子１は、前記図１に示す第１の実施の形態による回転電機の固定子１において、固定子鉄心３の両端部の単位固定子枠８に加えて、固定子鉄心３の軸方向でかつほぼ中心部にも、単位固定子枠８を配置した構成としている。
【０１３１】
次に、以上のように構成した本実施の形態による回転電機の固定子１においては、単位固定子枠８を、固定子鉄心３の軸方向でかつほぼ中心部にも配置していることにより、固定子１で発生する振動および騒音をより一層効果的に低減することができる。
【０１３２】
また、据付部の増加により、より安定性を増すことができる。
【０１３３】
上述したように、本実施の形態による回転電機の固定子１では、固定子１で発生する振動および騒音をより一層極めて効果的に低減することが可能となるばかりでなく、より安定性を増すことが可能となる。
【０１３４】
（第１０の実施の形態）
図１０は、本実施の形態による回転電機の固定子の構成例を示す斜視図であり、図９と同一要素には同一符号を付してその説明を省略し、ここでは異なる部分についてのみ述べる。
【０１３５】
すなわち、図１０に示すように、本実施の形態による回転電機の固定子１は、前記図９に示す第９の実施の形態による回転電機の固定子１において、各単位固定子枠８の形状を、固定子枠全体として軸方向に沿って徐々に変化させるようにし、かつ当該変化状態としては、各々の角部を結んだ場合に当該結んだ線が軸方向に対してスキューするようにした構成としている。
【０１３６】
次に、以上のように構成した本実施の形態による回転電機の固定子１においては、各単位固定子枠８の形状を、固定子枠全体として軸方向に沿って徐々に変化させるようにし、かつ当該変化状態としては、各々の角部を結んだ場合に当該結んだ線が軸方向に対してスキューするようにしていることにより、前述した第９の実施の形態と同様の作用を奏するのに加えて、スキュー効果をより一層高くできるため、固定子１で発生する振動および騒音をより一層効果的に低減することができる。
【０１３７】
上述したように、本実施の形態による回転電機の固定子１では、固定子１で発生する振動および騒音をより一層極めて効果的に低減することが可能となる。
【０１３８】
（第１１の実施の形態）
図１１は、本実施の形態による回転電機の固定子の構成例を示す側面（固定子鉄心の軸方向に直交する方向面）図および正面図であり、図１乃至図１０と同一要素には同一符号を付してその説明を省略し、ここでは異なる部分についてのみ述べる。
【０１３９】
すなわち、図１１に示すように、本実施の形態による回転電機の固定子１は、前記図１乃至図１０に示す第１乃至第１０の実施の形態による回転電機の固定子１において、各単位固定子枠８に、固定子１本体を据え付け場所に据え付けする据付用座１５を２面（本例では２面であるが、固定子１本体の底部に１面のみ設けたり、あるいは各単位固定子枠８毎に合計４面設けるようにしてもよい）設けた構成としている。
【０１４０】
次に、以上のように構成した本実施の形態による回転電機の固定子１においては、各単位固定子枠８に、固定子１本体を据え付け場所に据え付けする据付用座１５を設けていることにより、据付系の固有振動数を離調させることができ、その結果、固定子１で発生する振動および騒音をより一層効果的に低減することができる。
【０１４１】
この場合、図１１に示す振動モデルにより、固有振動式は、下記のような式にて表わされる。
【０１４２】
【数７】
0004028183.tif 000008
【０１４３】
このＬｅを変更することにより、固有振動数を可変することができる。
【０１４４】
上述したように、本実施の形態による回転電機の固定子１では、固定子１で発生する振動および騒音をより一層極めて効果的に低減することが可能となる。
【０１４５】
（第１２の実施の形態）
図１２は、本実施の形態による回転電機の固定子の構成例を示す側面（固定子鉄心の軸方向に直交する方向面）図であり、図１１と同一要素には同一符号を付してその説明を省略し、ここでは異なる部分についてのみ述べる。
【０１４６】
すなわち、図１２に示すように、本実施の形態による回転電機の固定子１は、前記図１１に示す第１１の実施の形態による回転電機の固定子１において、各単位固定子枠８に設ける据付用座１５の位置としては、固定子鉄心３の起磁力による楕円モード変形の中正軸半径を、固定子鉄心３のスロット底半径と外径半径の平均半径となるようにした場合に、中正軸半径のほぼ４／３倍の位置となるようにした構成としている。
【０１４７】
次に、以上のように構成した本実施の形態による回転電機の固定子１においては、固定子鉄心３の起磁力による楕円モード変形の中正軸半径を、固定子鉄心３のスロット底半径と外径半径の平均半径となるようにした場合に、各単位固定子枠８に設ける据付用座１５の位置が、中正軸半径のほぼ４／３倍の位置となるようにしていることにより、固定子鉄心３の楕円モード変形時の接線方向の変位成分が生じないため、据付系への電磁力の伝達を低減することができる。
【０１４８】
上述したように、本実施の形態による回転電機の固定子１では、固定子１で発生する振動および騒音をより一層極めて効果的に低減することが可能となる。
【０１４９】
（第１３の実施の形態）
図１３は、本実施の形態による回転電機の固定子の構成例を示す側面（固定子鉄心の軸方向に直交する方向面）図および断面を含む正面図であり、図１乃至図１２と同一要素には同一符号を付してその説明を省略し、ここでは異なる部分についてのみ述べる。
【０１５０】
すなわち、図１３に示すように、本実施の形態による回転電機の固定子１は、前記図１乃至図１２に示す第１乃至第１２の実施の形態による回転電機の固定子１において、固定子鉄心３のスロット１６を、軸方向に対してスキューさせた構成としている。
【０１５１】
次に、以上のように構成した本実施の形態による回転電機の固定子１においては、固定子鉄心３のスロット１６を、軸方向に対してスキューさせていることにより、スキュー効果を増加させて、より一層電磁力が分散することとなるため、固定子１で発生する振動および騒音をより一層効果的に低減することができる。
【０１５２】
上述したように、本実施の形態による回転電機の固定子１では、固定子１で発生する振動および騒音をより一層極めて効果的に低減することが可能となる。
【０１５３】
（第１４の実施の形態）
図１４は、本実施の形態による回転電機の固定子の構成例を示す側面（固定子鉄心の軸方向に直交する方向面）図および断面を含む正面図であり、図３、図５乃至図８、図１０、図１３と同一要素には同一符号を付してその説明を省略し、ここでは異なる部分についてのみ述べる。
【０１５４】
すなわち、図１４に示すように、本実施の形態による回転電機の固定子１は、前記図３、図５乃至図８、図１０、図１３に示す第３、第５乃至第８、第１０、第１３の実施の形態による回転電機の固定子１において、各単位固定子枠８間を互いに軸方向に結合するリブ９、または内部固定子枠１１に設ける溝１４のスキュー方向と、固定子鉄心３のスロット１６のスキュー方向とが同一方向となるように構成としている。
【０１５５】
次に、以上のように構成した本実施の形態による回転電機の固定子１においては、各単位固定子枠８間を互いに軸方向に結合するリブ９、または内部固定子枠１１に設ける溝１４のスキュー方向と、固定子鉄心３のスロット１６のスキュー方向とが同一方向となるようにしていることにより、スキュー効果を増加させて、より一層電磁力が分散することとなるため、固定子１で発生する振動および騒音をより一層効果的に低減することができる。
【０１５６】
上述したように、本実施の形態による回転電機の固定子１では、固定子１で発生する振動および騒音をより一層極めて効果的に低減することが可能となる。
【０１５７】
（第１５の実施の形態）
本実施の形態では、固定子１と回転子４とを備えて構成される回転電機において、固定子１として、前記第１乃至第１４のいずれか一つの実施の形態の固定子を備えて回転電機を構成している。
【０１５８】
これにより、回転電機全体で発生する振動および騒音を極めて効果的に低減することが可能となる。
（その他の実施の形態）
尚、本発明は、上記各実施の形態に限定されるものではなく、実施段階ではその要旨を逸脱しない範囲で、種々に変形して実施することが可能である。
例えば、本発明は、一般産業用・巻上機等の電動機への用途に限らず、発電機、同期機等のその他の回転電機についても、前述の場合と同様に適用して同様の作用効果を得ることができる。
【０１５９】
また、各実施の形態は可能な限り適宜組合わせて実施してもよく、その場合には組合わせた作用効果を得ることができる。
さらに、上記各実施の形態には種々の段階の発明が含まれており、開示される複数の構成要件における適宜な組合わせにより、種々の発明を抽出することができる。
例えば、実施の形態に示される全構成要件から幾つかの構成要件が削除されても、発明が解決しようとする課題の欄で述べた課題（の少なくとも一つ）が解決でき、発明の効果の欄で述べられている効果（の少なくとも一つ）が得られる場合には、この構成要件が削除された構成を発明として抽出することができる。
【０１６０】
【発明の効果】
以上説明したように、本発明の回転電機の固定子によれば、板状の固定子枠をその軸方向に複数に分割して単位固定子枠とし、各単位固定子枠の軸方向に直交する方向の断面の外周を、偶数角形に形成し、当該偶数角形の次数を、２を除く偶数次数とし、かつ各対角となる辺の長さを非対称となるようにようにしているので、円環振動モードＭ＝２、４、６、８……、偶数角形の四角形、六角形、八角形……の構造物の場合であっても、前述した従来のような種々の問題点が生じることなく、しかも固定子の外形が大きくなることなく、実際に発生する円環振動モードｎ＝２の変形が発生し難くなり、振動および騒音の低減を十分効果的に図ることが可能となる。
【０１６１】
また、本発明の回転電機によれば、高精度の固定子枠を容易に製造することが可能となる。
【０１６２】
さらに、本発明の回転電機によれば、上記構成の固定子を備えるようにしているので、固定子鉄心自体が変形し難く、固定子枠に楕円モードの変形が発生し難くなり、これにより回転電機全体での振動および騒音を十分効果的に低減することが可能となる。
【図面の簡単な説明】
【図１】本発明による回転電機の固定子の第１の実施の形態を示す両側面図および正面図。
【図２】本発明による回転電機の固定子の第２の実施の形態を示す両側面図および正面図。
【図３】本発明による回転電機の固定子の第３の実施の形態を示す両側面図および正面図。
【図４】本発明による回転電機の固定子の第４の実施の形態を示す両側面図および正面図。
【図５】本発明による回転電機の固定子の第５の実施の形態を示す両側面図および正面図。
【図６】本発明による回転電機の固定子の第６の実施の形態を示す両側面図および正面図。
【図７】本発明による回転電機の固定子の第７の実施の形態を示す両側面図および正面図。
【図８】本発明による回転電機の固定子の第８の実施の形態を示す両側面図および正面図。
【図９】本発明による回転電機の固定子の第９の実施の形態を示す斜視図。
【図１０】本発明による回転電機の固定子の第１０の実施の形態を示す斜視図。
【図１１】本発明による回転電機の固定子の第１１の実施の形態を示す側面図および正面図。
【図１２】本発明による回転電機の固定子の第１２の実施の形態を示す側面図。
【図１３】本発明による回転電機の固定子の第１３の実施の形態を示す側面図および断面を含む正面図。
【図１４】本発明による回転電機の固定子の第１４の実施の形態を示す側面図および断面を含む正面図。
【図１５】騒音発生のメカニズムを説明するための図。
【図１６】円環振動モードを説明するための図。
【図１７】電磁力モードを説明するための図。
【図１８】電磁力と固有モードの関係から振動を発生するしくみを説明するための図。
【図１９】振動特性を説明するための図。
【図２０】従来の誘導電動機の一構成例を示す縦断面図。
【符号の説明】
１…固定子、
２…固定子枠、
３…固定子鉄心、
４…回転子、
５…軸受、
６…回転軸、
７…回転子鉄心、
８…単位固定子枠、
９…リブ、
１０…リブ、
１１…内部固定子枠、
１２…溝、
１３…溝、
１４…溝、
１５…据付用座、
１６…固定子鉄心３のスロット。
【図１】
0004028183.tif 000009
【図２】
0004028183.tif 000010
【図３】
0004028183.tif 000011
【図４】
0004028183.tif 000012
【図５】
0004028183.tif 000013
【図６】
0004028183.tif 000014
【図７】
0004028183.tif 000015
【図８】
0004028183.tif 000016
【図９】
0004028183.tif 000017
【図１０】
0004028183.tif 000018
【図１１】
0004028183.tif 000019
【図１２】
0004028183.tif 000020
【図１３】
0004028183.tif 000021
【図１４】
0004028183.tif 000022
【図１５】
0004028183.tif 000023
【図１６】
0004028183.tif 000024
【図１７】
0004028183.tif 000025
【図１８】
0004028183.tif 000026
【図１９】
0004028183.tif 000027
【図２０】
0004028183.tif 000028